(57)【特許請求の範囲】
【請求項１】
パネル貫通穴へ取付けられる装着用グロメットに挿通させるワイヤハーネスの電線間に止水剤を塗布するワイヤハーネスへの止水剤塗布方法であって、
一対の棒状部材を互いに接近・離反自在なハサミ状治具の当該棒状部材の対向面上に弾性的な非接着性シートが交換自在に設けられており、該非接着性シート上に前記止水剤を予め塗布させ、複数の前記電線を前記棒状部材により挟み、所定の押圧力を加えることで前記止水剤を電線間に浸透させることを特徴とするワイヤハーネスへの止水剤塗布方法。
【請求項２】
パネル貫通穴へ取付けられる装着用グロメットに挿通させるワイヤハーネスの電線間に止水剤を塗布する止水剤塗布具であって、
互いに接近・離反自在の一対の棒状部材と、該棒状部材の対向する面上に交換自在に取付けられると共に前記面上に前記止水剤を塗布する非接着性シートと、を備え、一対の前記棒状部材を接近させて複数の前記電線を挟むことにより前記非接着性シートに塗布された前記止水剤を前記電線に塗布することを特徴とする止水剤塗布具。
【請求項３】
パネル貫通穴へ取付けられる装着用グロメットに挿通させるワイヤハーネスの電線間に止水剤を塗布する止水剤塗布具であって、
内側面に凹凸形状の押圧面を有し、互いに接近・離反自在の一対の板状部材を備え、一対の前記板状部材を接近させて複数の前記電線を挟むことにより前記押圧面上の前記止水剤を前記電線に塗布することを特徴とする止水剤塗布具。
【請求項４】
前記板状部材の端部が回動自在にヒンジ結合されており、一対の各々前記押圧面上の前記凹凸形状が相対的に半ピッチずれていることを特徴とする請求項５記載の止水剤塗布具。
【発明の詳細な説明】
【０００１】
【発明の属する技術分野】
本発明は、自動車のパネル貫通穴に装着させるグロメットに挿通させるワイヤハーネスの電線間の止水処理を行なうために、電線を整列させて止水剤を塗布するワイヤハ ーネスへの止水剤塗布方法に関するものである。
【０００２】
【従来の技術】
従来より、例えば自動車の車室の内外を仕切るパネル等を通して配索されるワイヤハーネスでは、パネルに設けられている貫通穴にゴム製のグロメットが装着される。このグロメットを通してワイヤハーネスが配索されることで、グロメットとパネル貫通穴との間を確実にシールして、パネルの貫通穴から車室内へ浸水するのを防止している。
【０００３】
しかし、グロメットとワイヤハーネスの電線との間や各電線間に隙間があると、この隙間を通して車室内に浸水する可能性があるので、これらの隙間もシールする必要がある。
【０００４】
そこで、前記隙間をシールするために、特開平１０−１７２３６０号公報に示されているような装置を用いて電線間の止水処理が行なわれている。
すなわち、図９に示すように、ワイヤハーネス組立用の配索板１１上には、複数本の電線からなる電線群を所定の配索形態に応じた分岐形状に支持するために複数の電線群受け治具１５ａ，１５ｂ，１５ｃ，１５ｄ，１５ｅが取付けられており、その途中の所定位置には電線群に止水剤を塗布して止水処理を行なうための止水処理用治具１２が配置されている。
【０００５】
止水処理用治具１２では、配索板１１の上に支持軸１３ａを介して基板１３を取付け、この基板１３の上に所定間隔を置いて一対の電線保持部材１４，１４が立設されている。この電線保持部材１４には、グロメット挿通部位の電線を１本ずつ縦方向に整列させて保持するためのスリット１７が各々設けられている。
【０００６】
このような装置を用いて、以下のようにして止水処理を行なう。すなわち、先ず、図１０（Ａ）に示すように、配索版１１上の電線保持部材１４のスリット１７によりグロメット挿通部位の電線１６を縦方向の平面上に整列させる。
次に、図１０（Ｂ）に示すように、一対の電線保持部材１４，１４間において整列した電線１６に上側から逆Ｕ字状の止水剤吐出器１８をセットして止水剤１９を塗布する。
次に、図１０（Ｃ）に示すように、止水剤吐出器１８の内部には多段のノズル１８ａが設けられており、各段のノズル１８ａにより電線間に所要の粘度を有する止水剤１９を塗布する。なお、止水剤吐出器１８の逆Ｕ字状を構成する一方の部材１８ｂは電線１６のセットのために開閉自在となっている。
【０００７】
次に、止水剤吐出器１８を取外した後、図１０（Ｄ）に示すように、止水剤１９を塗布した電線１６の一方の表面にこの電線１６を束ねるための帯状フィルム２１を貼付して、基板１３を下降させて電線１６を電線保持部材１４、１４から取り外す。そして、図１０（Ｅ）に示すように、帯状フィルム２１を巻き締めて、電線１６を円形断面に結束する。
【０００８】
次に、図１０（Ｆ）に示すように、帯状フィルム２１の結束位置の上にテープ２２を巻き付けて、電線１６の断面寸法をグロメット２３のハーネス挿通穴に緊密嵌合する円形に整形すると共に、止水剤１９を固化させる。
そして、最後に、図１０（Ｇ）に示すように、テープ２２の巻き付け位置の上にグロメット２３を装着する。
【０００９】
また、特開平１０−１７２３６１号公報には、上記止水処理用治具とは異なる構成の止水処理装置により止水処理が行なわれている。
すなわち、図１１および図１２に示すように、止水処理装置２４は、配索板１１上に設置した整列治具２５と、該整列治具２５に止水剤１９を供給する止水剤供給部２６と、整列治具２５の下方に配置した電線群受け具２７と、該電線群受け具２７に帯状フィルム２８ａを供給するフィルム供給部２８を備えている。
【００１０】
整列治具２５は、一対の電線ガイド板２５ａ，２５ｂを支持棒２５ｃ，２５ｄを介して立設すると共に、電線１６が垂直方向に一列に整列して通過可能な間隔を設けた移送経路２５ｅを設けている。
止水剤供給部２６は、整列治具２５の移送経路２５ｅの途中に介在して、電線１６の止水剤１９を塗布する長さに対応した長さの回転体２６ｂが一方の電線ガイド板２５ｂに回転自在に設けている。回転体２６ｂの外周面には、止水剤吐出機２６ｄのノズル２６ｆから定量毎供給される止水剤１９の液溜部２６ｅが形成されている。
【００１１】
回転体２６ｂは、移送経路２５ｅに沿って上方から順次移送される電線１６により１ピッチ毎回転すると共に、電線１６を液溜部２６ｅ内に浸してから通過させることで、電線１６外周に止水剤１９を塗布する。
電線群受け具２７は、落下供給される電線１６を束状に受承する受け皿２７ａを支脚２７ｂ上端に備えている。また、フィルム供給部２８は、繰り出された帯状フィルム２８ａを所要寸法に切断するカッター２８ｃを備えている。
【００１２】
先ず、配索板１１の電線受け治具１５上で布線された電線１６のグロメットを取り付ける部位が、電線ガイド板２５ａ，２５ｂ間の移送経路２５ｅ内に上方から押し込まれる。
次いで、順次下方へ移送される間に電線１６は、止水剤１９が溜っている液溜部２６ｅ内に嵌入されることで、各々電線１６外周に止水剤１９が均一に塗布された状態で受け皿２７ａの帯状フィルム２８ａ上で集束される。そして、受け皿２７ａの帯状フィルム２８ａが電線１６に巻き付けられる。
【００１３】
【発明が解決しようとする課題】
しかしながら、上記止水処理用治具１２においては、止水剤吐出器１８に設けられている多段のノズル１８ａから硬化性の止水剤を塗布する場合には、止水剤がノズル１８ａ部分で硬化してしまい、メンテナンスに時間がかかるという問題があった。
また、上記止水処理装置２４においては、止水剤を確実に塗布することができるが、装置全体の設備費が増大してコストアップに繋がるという問題があった。
【００１４】
本発明の目的は、上記従来の技術の問題点に着目してなされたものであり、多数の電線からなるワイヤハーネスに対して容易且つ確実に止水剤を塗布することのできるワイヤハーネスへの止水剤塗布方法および止水剤塗布具を提供することにある。
【００１５】
【課題を解決するための手段】
上記の目的を達成するために、本発明の請求項１記載のワイヤハーネスへの止水剤塗布方法は、パネル貫通穴へ取付けられる装着用グロメットに挿通させるワイヤハーネスの電線間に止水剤を塗布するワイヤハーネスへの止水剤塗布方法であって、一対の棒状部材を互いに接近・離反自在なハサミ状治具の当該棒状部材の対向面上に弾性的な非接着性シートが交換自在に設けられており、該非接着性シート上に前記止水剤を予め塗布させ、複数の前記電線を前記棒状部材により挟み、所定の押圧力を加えることで前記止水剤を電線間に浸透させることを特徴とする。
【００１６】
前記構成のワイヤハーネスへの止水剤塗布方法によれば、接近・離反自在に設けられているハサミ状治具の一対の棒状部材の対向面上に弾性的な非接着性シートが交換自在に設けられており、該非接着性シートの対向面上に止水剤を予め塗布しておき、ハサミ状治具により電線を挟んで、非接着性シートの対向面に塗布されている止水剤を電線間に浸透させるので、容易且つ短時間で止水剤を塗布することができ、電線を傷付けることなく止水剤を電線間に浸透させることができる。また、止水剤を塗布している非接着性シートは交換自在なので、メンテナンスが容易になる。また、ノズルを使用しないので、途中で止水剤が硬化して詰まることもない。
【００２１】
本発明の請求項２記載の止水剤塗布具は、パネル貫通穴へ取付けられる装着用グロメットに挿通させるワイヤハーネスの電線間に止水剤を塗布する止水剤塗布具であって、互いに接近・離反自在の一対の棒状部材と、該棒状部材の対向する面上に交換自在に取付けられると共に前記面上に前記止水剤を塗布する非接着性シートとを備え、一対の前記棒状部材を接近させて複数の前記電線を挟むことにより前記非接着性シートに塗布された前記止水剤を前記電線に塗布することを特徴とする。
【００２２】
前記構成の止水剤塗布具によれば、接近・離反自在に設けられているハサミ状治具の一対の棒状部材により止水剤が塗布された弾性的な非接着性シートを介して電線を挟んで、ハサミ状治具の対向面に塗布されている止水剤を電線間に浸透させるので、容易且つ短時間で止水剤を塗布することができる。
また、弾性的な非接着シートを介して電線を挟むので、電線を傷付けることなく止水剤を電線間に浸透させることができる。また、ノズルを使用しないので、途中で止水剤が硬化して詰まることもなく、止水剤を塗布している非接着性シートは交換自在なので、メンテナンスが容易になる。
【００２３】
本発明の請求項３記載の止水剤塗布具は、パネル貫通穴へ取付けられる装着用グロメットに挿通させるワイヤハーネスの電線間に止水剤を塗布する止水剤塗布具であって、内側面に凹凸形状の押圧面を有し、互いに接近・離反自在の一対の板状部材を備え、一対の前記板状部材を接近させて複数の前記電線を挟むことにより前記押圧面上の前記止水剤を前記電線に塗布することを特徴とする。
【００２４】
前記構成の止水剤塗布具によれば、内側面に凹凸形状の押圧面を有し、接近・離反自在に設けられている開閉式治具の一対の板状部材の押圧面に止水剤が塗布され、前記板状部材を接近させて複数の電線を挟むことで、開閉式治具の凹凸形状の押圧面に塗布されている止水剤を電線間に浸透させるので、容易且つ短時間で確実に止水剤を塗布することができる。
【００２５】
本発明の請求項４記載の止水剤塗布具は、前記板状部材の端部が回動自在にヒンジ結合されており、一対の各々前記押圧面上の前記凹凸形状が相対的に半ピッチずれていることを特徴とする。
前記構成の止水剤塗布具によれば、開閉式治具がヒンジ結合で一体化されており、一対の各々押圧面上の凹凸形状が相対的に半ピッチずれているので、開閉式治具がヒンジ部を中心に回動させて閉じることで、一方の板状部材の凹部と他方の板状部材の凸部とが係合する。従って、押圧面上に塗布した止水剤が凹凸間に挟まれた複数の電線間の隙間に確実に浸透され、一層確実且つ容易に止水剤を塗布することができる。
【００２６】
【発明の実施の形態】
以下、本発明のワイヤハーネスへの止水剤塗布方法および止水剤塗布具の第１実施形態を図１乃至図４に基づいて詳細に説明する。図１は本発明のワイヤハーネスへの止水剤塗布方法の第１実施形態を示す斜視図、図２は図１におけるII方向から観た側面図、図３は本発明に係る止水剤塗布具の第１実施形態を示す側面図、図４は図３における非接着性シートをＩＶ方向から観た平面図である。なお、従来技術と共通する部分については同じ符号を用い、重複する構成及び作用の説明は省略する。
【００２７】
図３に示すように、本実施形態に係る止水剤塗布具としてのハサミ状治具３１は、ピン３３によりハサミ状に結合されており、該ピンを中心に互いに接近・離反自在な平面状の対向面３２ａ、３２ａを有する一対の棒状部材３２、３２から構成されている。対向面３２ａ、３２ａには、非接着性シートとしての発泡シート３４が、例えば取付け具としてのクリップ３５により交換自在に取付けられている。
図４に示すように、この発泡シート３４は弾性的なものであり、止水剤１９が中央部に塗布されている。なお、非接着性シートとしては、発泡シート３４の他にも、ＰＰやＥＴＦＥ等でもよい。
【００２８】
次に、本実施形態に係るワイヤハーネスへの止水剤塗布方法について説明する。図４に示すように、予め発泡シート３４の内側面に止水剤１９を塗布しておく。そして、図３に示すように、この発泡シート３４をハサミ状治具３１の一対の棒状部材３２、３２の対向面３２ａ、３２ａに取付けておく。
なお、発泡シート３４に塗布する止水剤１９の塗布量を電線１６の本数に応じて調整して、最適量の止水剤１９を電線１６に塗布するようにする。
【００２９】
次に、図１及び図２に示すように、棒状部材３２、３２の取っ手３２ｂ、３２ｂを握って、ハサミで切るようにして棒状部材３２、３２を互いに接近させる。これにより、一対の電線保持部材１４、１４（図９参照）により保持されている電線１６を発泡シート３４を介して挟むことで、電線１６には所定の押圧力で発泡シート３４が押し付けられ、発泡シート３４に塗布されている止水剤１９が電線１６に塗布される。
【００３０】
従って、ハサミ状治具３１により発泡シート３４を介して電線１６を挟んで、発泡シート３４に塗布されている止水剤１９を電線１６間に浸透させるので、容易に且つ短時間で電線１６に止水剤１９を塗布することができる。また、ノズルを使用しないので、途中で止水剤が硬化して詰まることもない。
また、ハサミ状治具３１により止水剤１９が塗布された発泡シート３４を介して電線１６を挟むので、電線１６を傷付けることなく止水剤１９を電線１６間に浸透させることができる。更に、発泡シート３４は交換自在なので、メンテナンスが容易になる。
【００３１】
なお、上述した本実施形態のワイヤハーネスへの止水剤塗布方法およびこの止水剤塗布方法において使用する止水剤塗布具においては、１枚の発泡シート３４をハサミ状治具３１により挟んで、止水剤１９を電線１６に塗布するようにしたが、各棒状部材３２、３２の各々対向面３２ａ、３２ａに１枚ずつの発泡シート３４を取付けるようにしても全く同様の作用、効果を得ることができる。
また、対向面３２ａ、３２ａの形状は平面状であったが、相対的に半ピッチずらした凹凸形状にすることも可能である。
【００３２】
次に、本発明のワイヤハーネスへの止水剤塗布方法および止水剤塗布具の第２実施形態を図５乃至図８に基づいて詳細に説明する。図５は本発明のワイヤハーネスへの止水剤塗布方法の第２実施形態を示す斜視図、図６は図５における側面図、図７は本発明に係る止水剤塗布具の第２実施形態を示す斜視図、図８は図７における止水剤を塗布具上に配置した状態を示す斜視図である。なお、従来技術と共通する部分については同じ符号を用い、重複する構成及び作用の説明は省略する。
【００３３】
図７に示すように、本実施形態に係る止水剤塗布具としての開閉式治具４１は、一対の板状部材４２，４２がヒンジ部４３により矢印方向に開閉自在に一体化されている。この板状部材４２の内側面には、凹凸状（断面ジグザグ形状）の押圧面４２ａが形成されている。この一対の押圧面４２ａ，４２ａの凹凸形状のピッチは、相対的に半ピッチずれており、例えば、一方の押圧面４２ａの凸部が他方の押圧面４２ａの凹部に係合するように形成されている。
また、この押圧面４２ａ上には止水剤１９が塗布されるもので、非接着性材料（又は難接着材料）であるＰＰやフッ素樹脂から成形されている。
【００３４】
次に、本実施形態に係るワイヤハーネスへの止水剤塗布方法について説明する。図８に示すように、例えば、ワイヤハーネスを布線する配索板１１（図９参照）上で、開閉式治具４１を開放した状態で押圧面４２ａ上に止水剤１９が塗布ノズル４６から塗布される。なお、押圧面４２ａ上に塗布する止水剤１９の塗布量は電線の本数に応じて調整して、最適量の止水剤１９を塗布するようにする。
次に、板状部材４２，４２の止水剤１９を塗布した押圧面４２ａ上にグロメットに挿通される所定本数の電線１６を両方の押圧面４２ａ，４２ａ上又は一方の押圧面４２ａ上に配置させる。
【００３５】
次に、図５及び図６に示すように、一対の板状部材４２，４２が、外側から折り畳むようにして、ヒンジ部４３を中心に内側に回動させる。そして、電線１６が両押圧面４２ａ，４２ａに挟み込まれるまで外側から押圧力を加える。これにより、電線１６が一方の押圧面４２ａの凹部に他方の押圧面４２ａの凸部により押し込まれ、押圧面４２ａの凹凸形状に沿ってジグザグ状に整列移動する。
この時、押圧面４２ａ上に塗布された止水剤１９が電線１６の両側面から押し付けられ、電線１６の両側面に塗布されると共に隣接する電線１６，１６間の隙間に浸透される。
【００３６】
従って、止水剤１９を塗布した開閉式治具４１により電線１６を挟んで、止水剤１９を電線１６間に浸透させるので、容易に且つ短時間で電線１６に止水剤１９を塗布することができる。
また、止水剤１９が塗布される板状部材４２の少なくとも押圧面４２ａが非接着性材料から成るので、直接止水剤１９を塗布しても、作業後に付着して硬化した止水剤１９を容易に取り除くことができ、容易に再使用することができる。
【００３７】
なお、上述した本実施形態のワイヤハーネスへの止水剤塗布方法およびこの止水剤塗布方法において使用する止水剤塗布具においては、押圧面４２ａの形状がジグザグ形状のものを一例に説明したが、円弧状の波形形状でも良い。
また、押圧面４２ａ上に直接止水剤１９を塗布したが、第１実施形態のように発泡シート上に止水剤１９を塗布して、発泡シートを介して止水剤１９を塗布するようにしても良い。
【００３８】
【発明の効果】
以上説明したように本発明の請求項１，２記載のワイヤハーネスへの止水剤塗布方法および止水剤塗布具によれば、接近・離反自在に設けられているハサミ状治具の一対の棒状部材により止水剤の塗布された非接着性シートを介して電線を挟むことで、ハサミ状治具の対向面に塗布されている止水剤を電線間に浸透させることができる。従って、対向面に塗布した止水剤を容易に且つ短時間で確実に電線間に塗布することができると共に、ノズルを使用しないので、途中で止水剤が硬化して詰まることもない。また、交換自在な非接着性シートを介して電線を挟むので、電線を傷付けることなく止水剤を電線間に塗布することができ、メンテナンスが容易になる。
【００３９】
また、本発明の請求項３，４記載の止水剤塗布具によれば、ヒンジ結合により接近・離反自在に設けられている開閉式治具の一対の板状部材の内側面に相対的に半ピッチずれている凹凸形状の押圧面を有し、該押圧面上に止水剤を塗布しておき、開閉式治具により電線を挟むことで、押圧面に塗布されている止水剤を凹凸間に挟まれた複数の電線間に浸透させることができる。従って、押圧面上に塗布した止水剤を容易且つ短時間で確実に電線間に塗布することができる。また、開閉式治具がヒンジ部を中心に回動することで、一対の押圧面上の凹凸形状が係合するので、一層確実且つ容易に止水剤を塗布することができる。
【図面の簡単な説明】
【図１】本発明に係るワイヤハーネスへの止水剤塗布方法の一実施形態を示す斜視図である。
【図２】図１におけるII方向から観た側面図である。
【図３】本発明に係る止水剤塗布具の一実施形態を示す側面図である。
【図４】図３における非接着性シートをＩＶ方向から観た平面図である。
【図５】本発明のワイヤハーネスへの止水剤塗布方法の第２実施形態を示す斜視図である。
【図６】図５における側面図である。
【図７】本発明に係る止水剤塗布具の第２実施形態を示す斜視図である。
【図８】図７における止水剤を塗布具上に配置した状態を示す斜視図である。
【図９】従来の止水処理用治具を示す斜視図である。
【図１０】図９におけるワイヤハーネスの止水処理の手順を示す工程図である。
【図１１】従来の止水処理装置を示す斜視図である。
【図１２】図１１におけるワイヤハーネスの止水処理の手順を示す概略図である。
【符号の説明】
１６    電線
１９    止水剤
３１    ハサミ状治具（止水剤塗布具）
３２    棒状部材
３２ａ  対向面
３４    発泡シート（非接着性シート）
４１    開閉式治具（止水剤塗布具）
４２    板状部材
４２ａ  押圧面
４３    ヒンジ部
【図１】
0003880042.tif 000002
【図２】
0003880042.tif 000003
【図３】
0003880042.tif 000004
【図４】
0003880042.tif 000005
【図５】
0003880042.tif 000006
【図６】
0003880042.tif 000007
【図７】
0003880042.tif 000008
【図８】
0003880042.tif 000009
【図９】
0003880042.tif 000010
【図１０】
0003880042.tif 000011
【図１１】
0003880042.tif 000012
【図１２】
0003880042.tif 000013